(57)【要約】［課題］  切替弁の厚みを圧縮して薄型とし、ホースを簡単に離脱可能とし、デジタル装置の電池交換を簡易にする。［解決手段］  切替え弁を球とし、この弁球と水平位置に軸芯をとって切替え弁装置を薄型にでき、水コネクターを用いてホースの着脱を容易にし、切替え弁装置の弁箱に水車室を設けて磁気水車を設置し、その磁気水車の回転数を感知する磁気センサーを前述した磁気水車と隣接した電脳ケースに設置して、電線を外部に配線なしにすることにより、電池交換を安易にする。【選択図】図９
2005172213.tif 000002
【特許請求の範囲】
【請求項１】
水栓と水処理器とに接続して、水栓から供給される水の流れを切替える弁装置であって、上面に前記水栓に接続される原水流入口、それに次ぐ原水渦状乱入調整部が設けられ、中央部に底部を水平面とした円筒上の弁室を設け且つ、水処理器へ給水する給水口、ストレート出水口、シャワー出水口、並びに後記する弁球の弁球隔離壁を有し、水コネクターを着脱自在ならしめる水コネクター着脱凹部、前記給水口と連通する水コネクターのジョイントを受入する接続口を設けた弁箱と、前記弁室の給水口、ストレート出水口、シャワー出水口の夫々を開閉する弁球を、前記弁球隔離壁内又は給水口及び各出水口上に夫々後記する弁軸と水平な位置に配置し、前記弁箱の前記弁室に回動自在に設けられ、前記した弁球を移動せしめて、前記給水口及びストレート出水口、シャワー出水口を開閉させる中心部を穿孔した軸芯枝及び単棒状の軸芯枝を有した棒状の軸芯と、この軸芯に連結して軸芯を回動操作するハンドルを具備し、前記軸芯は前記ハンドルに回動されて、前記水栓から供給される水を、前記弁箱のストレート出水口より出水させる原水ストレート位置と、前記水をシャワー出水口より出水させる原水シャワー位置と、前記水を水処理器へ給水する給水位置とに夫々配置されていることを特徴とする水処理器用の切替え弁装置。
【請求項２】
給水ノズル路上に水車室を設け、その水車室内に磁気水車を設置した弁箱と、その弁箱の水車室と隣接して磁気水車の回転数を感知するセンサーを設置し且つ、上部に流量表示液晶板を、底部に電池ボックスを具備し、中央部にマイコンその他の電脳部を、上部外周辺には前記弁箱に懸架する掛け部を有した電脳ケースを、前記弁箱に掛置した請求項第１記載の切替え弁装置。
【発明の詳細な説明】
［技術分野］
【０００１】  本発明は、水栓の先端と浄水器その他の水処理器とに接続して、水栓から供給される水の流れを切替える弁装置に関する。
［背景技術］
【０００２】  現在市場に見られる水栓に取付けられる切替え弁装置は厚型である故に、この弁装置を取付けると、水の吐水口位置とシンクとの距離が縮まり、水栓から供給される水の使用範囲を縮少させると云う、使用者にとって大きな不都合があった。
【０００３】  また、時たまのことではあるが、ただ単なる切替え弁装置の不具合の発生時には、切替え弁装置と水処理器がホースによって固着されている為に、切替え弁装置とホースと水処理器との全部を販売店まで持参する等の煩瑣を生じている。
【０００４】  処理水をデジタル表示する為には、流量感知部及び流量算出、流量累積をなす電脳部並びに電池が必要となるが、それらを電線にて接続している為に、消費者の電池交換時には切替え弁装置の取外しが要請されており、尚水栓の先端は湯気を始めとする水蒸気雰囲気に常時晒されているので電脳の故障率が高い。
［発明の開示］
［発明が解決しようとする課題］
【０００５】  解決しようとする問題点は、切替え弁装置を取付けることにより、水栓から供給される水の吐水口を下位せしめる切替え弁装置の構造上に係る厚度の問題と、切替え弁装置がホースにより水処理器と固着されている為に、様々なところで煩雑さを生じている問題と、処理水流量をデジタル表示する為に、何本もの電線を配り巡らしていくこと、電池の切替えが切替え弁装置を水栓より取外して行う等の問題である。
［課題を解決しようとする課題］
【０００６】  切替え弁装置に用いる弁球を軸芯と水平位置に配置し、切替え弁装置を薄くし、水コネクターを用いて、この切替え弁装置と浄水器等水処理器に固着されているホースを簡単に着脱せしめること、流量デジタル表示板、ＰＣボード、ＩＣなどの電脳部全体を、一つのケース内に絶縁樹脂で固着収納し、切替え弁装置に取外し簡単に据置することを最も主要な特徴とする。
［発明の効果］
【０００７】  切替え弁装置を、より薄白な厚みの切替え弁装置として提供でき且つ、使用者にとって切替え弁装置の取付け取外し時が簡易となり、生産時にも各種の煩雑さを生じている切替え弁装置とホースとの着脱が簡単に出来且つ、流量デジタル表示に要する流量感知部及び流量計算をする電脳部、電池を外部配線なしで一つのケース内に収納しており、尚そのケースの取外しが簡単なため、電池交換が容易に出来る利点がある。
［発明を実施するための最良の形能］
【０００８】  弁箱の、弁室に軸芯と水平位置に弁球を配置し、後方に水コネクターを着脱可能ならしめ、側方又は前方に、水処理器への給水路に水車室を設けて磁気水車を配置し、この水車室と隣接する処所に磁力感知センサーを備え、表示板を包む電脳部及び電池等を一つに収納する電脳ケースを配置した切替え弁装置を提供できる。
［実施例１］
【０００９】  以下本発明の第１実施例を図１ないし図１４を参照して説明する。なお図上に示した符合は、同一部分には同一符合を付して説明する。
【００１０】  図１は弁装置の正面図、図２は裏面図、図３は平面図、図４は底面図、図５は右側面図、図６は左側面図、図７及至図９は図３に示すＡ−Ａ線に沿う断面図、図１０及至図１２は図５に示すＢ−Ｂ線に沿う断面図、図１３は図１２に示すＣ−Ｃ線に沿う断面図である。
【００１１】  図中１は弁箱、２は水コネクター、３は弁箱蓋、４はハンドル、１２は軸芯ａ、２０は弁球Ｐである。
【００１２】  図９は水処理器へ給水する給水口１９を軸芯１２の軸芯枝３５が弁球Ｐ２０を移動させて給水口１９を開口している。
図９を参照して水の流れを矢印にて示して説明する。水栓５の水は原水流入口１１より弁箱上部に流入し、渦状乱入調整部２８にて渦調整板ａ２５及び渦調整板Ｂ２６を経て弁室１８に流入し、開口した給水口１９より給水ノズル３２至り、給水接続口２７にて挿入したジョイント１４の通水孔３０を流通してホース３３へと給水する。図１１はこの給水位置においての図５のＢ−Ｂ線に沿う断面図であり、軸芯枝３５が弁球Ｐ２０を移動させている図である。
【００１３】  図７及び図１２、図１３を参照してシャワー出水口３４の開口時について説明する。図７ではストレート出水口１０は弁球Ｓ２１により、給水口１９は弁球Ｐ２０により閉口されていることを示し、図１２では棒状軸芯枝３１が弁球Ｐ２２を移動させ、図１３に示す如くシャワー出水口３４を開口しており、このシャワー出水口３４より出水した水はシャワー吐水口群３６よりシャワー状に吐水する。符号２９は原水吐水口である。
【００１４】  図８及び図１０を参照してストレート出水口１０の開口を説明する。図８に示す如く軸芯１２回動を基に軸芯枝３５が弁球Ｓ２１を移動させストレート出水口１０を開口し、ストレート吐水口２９より吐水する。
【００１５】  図１２及び図１４を参照して水コネクター２について説明する。弁箱１壁部に水コネクター２の着脱凹部３８を設け、そこに水コネクター２の着脱凸部４０を嵌合せしめるものであり、水コネクター２は、ホース固定用掛部４１を有するジョイント１４と、さらにホース３３をジョイント１４と水コネクター２に固着させる止め棒４２とから構成されている。４３はホース押圧部であり、ジョイント１４のホース固定用懸部４１と連携してホースを固着させている。
水コネクターの離脱操作は、離脱操作部３９を両指にて内側へ押圧すれば曲面基点４４より着脱凸部４０までが内側へ屈曲するので、脱きがけ部４５を両指の一部で押圧して水コネクター２を引き抜くことができ、差込みはただ単に押入することで可能である。
［実施例２］
【００１６】  図１５及び図１６、図１７を参照して第２の実施例を説明する。弁箱１に水車室５４と、その室内に設置した磁気水車４５を備え、隣接個所に磁気センサー４７を設置して、処理水流量を算出する電脳部４８、表示液晶板５０等を絶縁材４６で固着し、その下部に電池４９を安置し、シール材Ｏリング１６でシールされるキャップ５２を取付けた電脳ケース５１を、上部にて電脳ケース５１の周辺掛部５３を用いて弁箱に掛置くものである。
図１５は平面図、図１６は図１７におけるＦ−Ｆ線上に沿う断面図であり、図１７は図１６におけるＥ−Ｅ線上に沿う断面図である。
これら実施例２の水の流経は実施例１と同一のために、磁気水車４５及び電脳ケース５１を中心に説明をし、他は省略するものとし、図１５、図１６、図１７も他を省略してある。
【００１７】  給水口１９より出水する水の流れを図１７を参照にして説明する。給水口１９を出水した水は水車室５４へ流入し、そこに設置された磁気水車４５を図上時計廻りに回転させ、流出口５５より給水ノズル３２、接続部品５７、その接続部品５７の一端のジョイント受入口５８にジョイント１４を受入れてホース１５へと流通する。矢印は水の流経を表わしている。図１７上の磁気感知センサー４７は単に位置のみを示す。符号６３は接続部品の蓋である。
［産業上の利用可能性］
【００１８】  切替え弁装置の高さ寸法を縮少することは消費者の要望であり、又切替え弁を水栓に取付ける際にホースが固着していないのは消費者に便宜をもたらす。
【００１９】  水コネクターは生産者にとって生産上における実に煩瑣をもたらしていた、ホースを引摺りながらの作業が無くなり、包装、梱包上においてホースを水処理器本体に巻きつける作業も無くなる。
【００２０】  このように生産上で抱えている煩雑さの問題、衛生面上から、空間利用効率上、梱包上、運搬上、取付け設置上、取外し上等と多くの問題点を解決できる。
【００２１】  さらに、弁球を移動させるのみと軽い指先の力でのハンドル操作で切替え弁を回動でき、軽量と部品点数の減少ができる利点がある。
【００２２】  弁箱の給水ノズル路内に磁気水車を設け、その隣接個所に電脳ケースを掛置くことにより、電線の配線が不要となり、消費者の電池交換時に便宜をもたらし、さらに生産時に各所に配線された電気を必要とする部品の絶縁材固着の労を安易にする多大な利点がある。
【図面の簡単な説明】
【００２３】
【図１】実施例１に係る弁装置の正面図。
【図２】実施例１に係る弁装置の裏面図。
【図３】実施例１に係る弁装置の平面図。
【図４】実施例１に係る弁装置の底面図。
【図５】実施例１に係る弁装置の右側面図。
【図６】実施例１に係る弁装置の左側面図。
【図７】図３Ａ−Ａ線に沿う断面図。
【図８】図３Ａ−Ａ線に沿う断面図。
【図９】図３Ａ−Ａ線に沿う断面図。
【図１０】図５Ｃ−Ｃ線に沿う断面図。
【図１１】図５Ｃ−Ｃ線に沿う断面図。
【図１２】図５Ｃ−Ｃ線に沿う断面図。
【図１３】図１２Ｄ−Ｄ線に沿う断面図。
【図１４】水コネクターの分解説明図。
【図１５】実施例２に係る弁装置の平面図。
【図１６】図１７Ｆ−Ｆ線に沿う断面図。
【図１７】図１６Ｅ−Ｅ線に沿う断面図。
【符号の説明】
【００２４】  １  弁箱
２  水コネクター
３  弁箱蓋
４  ハンドル
５  水栓
６  支持筒
７  ハンドル手がけ部
８  ビス用孔
９  シャワー吐水口部
１０  ストレート出水口
１１  原水流入口
１２  軸芯
１３  軸芯延長棒
１４  ジョイント
１５  ホース
１６  シール材Ｏリング
１７  弁軸嵌合部
１８  弁室
１９  給水口
２０  弁球Ｐ
２１  弁球Ｓ
２２  弁球Ｗ
２３  ナット
２４  パッキン
２５  渦調整板ａ
２６  渦調整板
２７  接続口
２８  渦状乱入調整部
２９  ストレート吐水口
３０  通水口
３１  単棒状軸芯枝
３２  給水ノズル
３３  ホース
３４  シャワー出水口
３５  軸芯枝
３６  シャワー吐水口郡
３７  弁球隔離壁
３８  弁箱着脱凹部
３９  離脱操作部
４０  着脱凸部
４１  ホース固定用懸け部
４２  ホース止め棒
４３  ホース押圧部
４４  曲面基点
４５  磁気水車
４６  絶縁体
４７  磁気感知センター
４８  電脳部
４９  電池
５０  表示液晶板
５１  電脳ケース
５２  キャップ
５３  周辺掛部
５４  水車室
５５  流出口
５６  流通路
５７  接続部品
５８  ジョイント受入口
５９  電脳ケース収容部
６０  水車室蓋
６１  接続部品管内
６２  通電薄片
６３  蓋
【図１】
2005172213.tif 000003
【図２】
2005172213.tif 000004
【図３】
2005172213.tif 000005
【図４】
2005172213.tif 000006
【図５】
2005172213.tif 000007
【図６】
2005172213.tif 000008
【図７】
2005172213.tif 000009
【図８】
2005172213.tif 000010
【図９】
2005172213.tif 000011
【図１０】
2005172213.tif 000012
【図１１】
2005172213.tif 000013
【図１２】
2005172213.tif 000014
【図１３】
2005172213.tif 000015
【図１４】
2005172213.tif 000016
【図１５】
2005172213.tif 000017
【図１６】
2005172213.tif 000018
【図１７】
2005172213.tif 000019